(57)【要約】【課題】  ハンドル（取っ手）を更に有効に活用して、投影レンズの保護を確保しつつ投影可能となるような投影装置を提供する。【解決手段】  投影レンズ６４は、投影部位６４ａにて、取っ手ＢのＵ字体２０ｂから投影口部２６を通して外方に露出している。この投影部位６４ａは、Ｕ字体２０ｂの右側腕部２２でもって囲われている。【選択図】    図２
2007072338.tif 000002
【特許請求の範囲】
【請求項１】
映像を投影面に向け投影レンズ部でもって光学的に投影する投影光学系を有する装置本体と、この装置本体に設けられる取っ手とを備えてなる投影装置において、
前記取っ手は、前記投影レンズ部の少なくとも一部を覆うことが可能な形態でもって、前記装置本体に設けられていることを特徴とする投影装置。
【請求項２】
前記取っ手は、前記形態の少なくとも一つの態様において、前記投影レンズ部による投影を妨げないよう、前記装置本体に設けられていることを特徴とする請求項１に記載の投影装置。
【請求項３】
前記取っ手は、前記装置本体に回動可能に支持されていることを特徴とする請求項１または２に記載の投影装置。
【請求項４】
前記投影レンズ部は、少なくとも一部にて、前記装置本体から突出していることを特徴とする請求項１〜３のいずれか１つに記載の投影装置。
【請求項５】
前記取っ手は、前記突出した投影レンズ部の側面の少なくとも一部を覆うことを特徴とする請求項４に記載の投影装置。
【請求項６】
前記投影光学系は、その光路にて、屈曲していることを特徴とする請求項１〜５のいずれか１つに記載の投影装置。
【請求項７】
前記取っ手は、前記投影光学系の前記屈曲形状に沿うように形成されていることを特徴とする請求項６に記載の投影装置。
【請求項８】
前記取っ手は、前記装置本体の前記投影レンズ部の近傍にて形成されるデッドスペースに設けられていることを特徴とする請求項１〜７のいずれか１つに記載の投影装置。
【請求項９】
前記取っ手により前記装置本体との間に形成される中空状手挿入部は、この手挿入部に挿入した手が前記投影レンズ部に届かないように、前記投影レンズから離れて位置することを特徴とする請求項１〜８のいずれか１つに記載の投影装置。
【発明の詳細な説明】
【技術分野】
【０００１】
本発明は、画像を光学的に投影面に向け投影する投影装置に関するものである。
【背景技術】
【０００２】
従来、この種の投影装置においては、下記特許文献１にて開示された投影装置としてのプロジェクタ装置がある。このプロジェクタ装置は、プロジェクタ本体及び当該プロジェクタ本体を把持するためのハンドルを備えている。
【０００３】
ここで、ハンドル（取っ手）は、コ字状となるように把持部から両アーム部を突出させて構成されており、このハンドルは、両アーム部にて、プロジェクタ本体の筐体の両側壁の各中間部位に回動可能に支持されている。
【０００４】
これにより、ハンドルの把持部を把持してプロジェクタ本体を持ち上げることで、当該プロジェクタ装置の持ち運びが可能となる。また、ハンドルの回動でもってプロジェクタ本体を設置面上に傾斜状に支持する角度を調整することで、当該プロジェクタ装置の投影方向の設定が可能となる。
【特許文献１】特開２００４−２６４６０８号公報
【発明の開示】
【発明が解決しようとする課題】
【０００５】
ところで、特許文献１に開示されるような従来のプロジェクタ装置においては、プロジェクタ装置の持ち運び或いは投影方向の設定にあたり、ハンドルはプロジェクタ本体の投影部の前方を通り回動される。
【０００６】
しかしながら、当該プロジェクタ装置の投影の際には、ハンドルの把持部は、当該プロジェクタ装置の投影部、特に投射レンズの投影方向側の前方に位置することはないため、プロジェクタ装置の投影部の主要な構成部材である投影レンズは、少なくとも投影の際には、ハンドルによっては保護されないことになる。
【０００７】
また、上記プロジェクタ装置等通常のプロジェクタ装置では、カバーでもってプロジェクタ装置の投影部を覆うことで、投影レンズを保護するようになっているが、投影するときは、当然、カバーをはずして使用されるため、投影時はやはり投射レンズは保護されない。加えて、上記プロジェクタ装置では、投影レンズの保護のためのカバーが別途余分に必要となるという不具合を招く。
【０００８】
そこで、本発明は、以上のようなことに対処するため、取っ手（ハンドル）を更に有効に活用して、投影レンズ部の保護を確保しつつ投影可能となるような投影装置を提供することを目的とする。
【課題を解決するための手段】
【０００９】
上記課題の解決にあたり、本発明に係る投影装置は、請求項１の記載によれば、
映像を投影面に向け投影レンズ部でもって光学的に投影する投影光学系を有する装置本体と、この装置本体に設けられる取っ手とを備える。
【００１０】
ここで、当該投影装置において、取っ手は、投影レンズ部の少なくとも一部を覆うことが可能な形態でもって、装置本体に設けられていることを特徴とする。
【００１１】
このように、取っ手は、投影光学系の投影レンズ部の少なくとも一部を覆うことが可能な形態でもって、装置本体に設けられている。従って、当該取っ手は、投影レンズ部の少なくとも一部を覆うように位置することで、投影レンズ部を良好に保護する役割を果たす。
【００１２】
また、本発明は、請求項２の記載によれば、請求項１に記載の投影装置において、取っ手は、上記形態の少なくとも一つの態様において、投影レンズ部による投影を妨げないよう、装置本体に設けられていることを特徴とする。
【００１３】
これにより、投影レンズ部による映像の投影を邪魔せず、当該投影レンズ部の少なくとも一部が可能な限り保護される。
【００１４】
また、本発明は、請求項３の記載によれば、請求項１または２に記載の投影装置において、取っ手は、装置本体に回動可能に支持されていることを特徴とする。
【００１５】
これにより、投影レンズによる投影を妨げない位置や装置本体を持ち上げる位置に取っ手を回動させることが可能となり、その結果、請求項１または２に記載の発明の作用効果がより一層向上され得る。
【００１６】
また、本発明は、請求項４の記載によれば、請求項１〜３のいずれか１つに記載の投影装置において、上記投影レンズ部は、少なくとも一部にて、装置本体から突出していることを特徴とする。
【００１７】
このように、投影レンズの少なくとも一部が装置本体から突出しているので、装置本体を小型化しつつ、投射レンズ部の保護をし得る。
【００１８】
また、本発明は、請求項５の記載によれば、請求項４に記載の投影装置において、取っ手は、上記突出した投影レンズ部の側面の少なくとも一部を覆うことを特徴とする。
【００１９】
このように、取っ手でもって突出した投影レンズ部の側面の少なくとも一部を覆うようにすれば、請求項４に記載の発明の作用効果に加え、投射レンズ部の強度を高める効果も達成され得る。
【００２０】
また、本発明は、請求項６の記載によれば、請求項１〜５のいずれか１つに記載の投影装置において、投影光学系は、その光路にて、屈曲していることを特徴とする。
【００２１】
これにより、装置本体をコンパクトにするとともに取っ手をスペースの無駄なく設けつつ、請求項１〜５のいずれか１つに記載の発明と同様の作用効果が達成され得る。
【００２２】
また、本発明は、請求項７の記載によれば、請求項６に記載の投影装置において、取っ手は、投影光学系の上記屈曲形状に沿うように形成されていることを特徴とする。
【００２３】
これによっても、請求項６に記載の発明の作用効果が達成され得る。
【００２４】
また、本発明は、請求項８の記載によれば、請求項１〜７のいずれか１つに記載の投影装置において、装置本体の投影レンズ部の近傍にて形成されるデッドスペースに設けられていることを特徴とする。
【００２５】
これにより、装置本体の光源やレンズなどの種々の構成要素に占有されない無駄なスペースであるデッドスペース、例えば、装置本体において投影対象と相対する面で投影レンズ近傍の面を底面とし投影レンズ部の突出部を略高さとする立体的スペースを有効に活用しつつ、請求項１〜７のいずれか１つに記載の発明と同様の作用効果を達成し得る。
【００２６】
また、本発明は、請求項９の記載によれば、請求項１〜８のいずれか１つに記載の投影装置において、取っ手により装置本体との間に形成される中空状手挿入部は、この手挿入部に挿入した手が投影レンズ部に届かないように、投影レンズから離れて位置することを特徴とする。
【００２７】
これにより、請求項１〜８のいずれか１つに記載の発明の作用効果を達成し得るのは勿論のこと、上記中空状手挿入部に手を挿入し、取っ手を把持しても、手が投影レンズ部に触れることが少なくなるという作用効果を達成し得る。
【発明を実施するための最良の形態】
【００２８】
以下、本発明の各実施形態を図面により説明する。
（第１実施形態）
図１〜図３は、本発明に係る投影装置の第１実施形態を示している。当該投影装置は、図１にて示すごとく、ハウジング本体Ａ及び取っ手Ｂを一体に形成してなるハウジングＨを備えている。
【００２９】
本第１実施形態では、ハウジング本体Ａの取っ手Ｂ側及び取っ手Ｂとは反対側が、当該ハウジング本体Ａの前側及び後側にそれぞれ相当する。また、ハウジング本体Ａの腕部１１（後述する）に対応する側が当該ハウジング本体Ａの左側に相当し、ハウジング本体Ａの腕部１２（後述する）に対応する側が当該ハウジング本体Ａの右側に相当する。
【００３０】
また、ハウジング本体Ａのうち取っ手Ｂとは反対側（後側）の面（後面）が、投影方向Ｒ（図１参照）への投影時における当該投影装置の設置面に相当する。従って、当該投影装置による投影時には、取っ手Ｂをハウジング本体Ａの上側に位置させるようにして、ハウジング本体Ａを、その設置面（後面）にて、例えば机面上に立設する。また、図１は、当該投影装置が非投影時において例えば机面上に置かれる状態を示す。また、例えば、机上面に立設される図示しない支持台の上方向の端部に、ハウジング本体Ａの下面（底面）部分が固定されているとすれば、投影方向Ｒに投射している投影装置の状態を示しているともいえる。
【００３１】
ハウジングＨは、上下両側ハウジング部材１０、２０を有しており、これら両側ハウジング部材１０、２０は、その各開口部にて、互いに嵌合されて、ハウジング本体Ａ及び取っ手Ｂを一体に形成するようにハウジングＨを構成している。
【００３２】
上側ハウジング部材１０は、図１にて示すごとく、箱体１０ａと、Ｕ字体１０ｂとを備えている。Ｕ字体１０ｂは、左右両側腕部１１、１２を連結部１３からＵ字状に突出して構成されており、このＵ字体１０ｂは、左右両側腕部１１、１２にて、箱体１０ａの前壁１４の左右両端部からその前方へ突出して、当該箱体１０ａと一体に形成されている。
【００３３】
また、Ｕ字体１０ｂは、その長手方向に直交する断面にてコ字状に形成されて、その開口部にて、下方に向けて開口している。このことは、左右両側腕部１１、１２及び連結部１３が、それぞれ、その長手方向に直交する断面にてコ字状に形成されて、その各開口部にて、下方に向けて開口していることを意味する。本実施形態では、Ｕ字体１０ｂの上壁１５は、図１にて示すごとく、箱体１０ａの前壁１４の上端部から前方へ下方に向けて傾斜している（本発明にいう投影光学系の屈曲形状に対応）。
【００３４】
一方、下側ハウジング部材２０は、図１にて示すごとく、箱体２０ａと、Ｕ字体２０ｂとを備えている。Ｕ字体２０ｂは、左右両側腕部２１、２２を連結部２３からＵ字状に突出させて構成されており、このＵ字体２０ｂは、左右両側腕部２１、２２にて、箱体２０ａの前壁２４の左右両端部からその前方へ突出して、当該箱体２０ａと一体に形成されている。
【００３５】
また、Ｕ字体２０ｂは、その長手方向に直交する断面にてコ字状に形成されて、その開口部（図３参照）にて、上方に向けて開口している。このことは、左右両側腕部２１、２２及び連結部２３が、それぞれ、その長手方向に直交する断面にてコ字状に形成されて、その各開口部にて、左右両側腕部１１、１２及び連結部１３の各開口部内に向けて開口していることを意味する。
【００３６】
また、Ｕ字体２０ｂは、その底壁２５（図１参照）のうち右側腕部２２に対する対応部にて、図２にて示すごとく、投影口部２６を有しており、この投影口部２６は、図２にて図示下方（投影方向Ｒ）に向けて開口している。
【００３７】
以上のように上下両側ハウジング部材１０、２０を構成することにより、上側ハウジング部材１０は、箱体１０ａの開口部にて、下側ハウジング部材２０の箱体２０ａの開口部に嵌合されるとともに、Ｕ字体１０ｂの開口部にて、下側ハウジング部材２０のＵ字体２０ｂの開口部に嵌合されて、両箱体１０ａ、２０ａでもってハウジング本体Ａを構成するとともに、両Ｕ字体１０ｂ、２０ｂでもって取っ手Ｂを構成している。
【００３８】
ここで、取っ手Ｂは、両連結部１３、２３でもって、把持部Ｔを構成する。また、両右側腕部１２、２２は、その左右方向幅において、両左側腕部１１、２１よりも広くなっているが、これは、後述する投影光学系６０のレンズ群を両右側腕部１２、２２の内部に収容するためである。
【００３９】
また、当該投影装置は、図２或いは図３にて示すごとく、ランプ３０、照明光学系４０、透過型液晶パネル５０（以下、ＬＣＤ５０ともいう）、投影光学系６０、冷却ファン７０及び制御ユニット８０を備えている。
【００４０】
ランプ３０、照明光学系４０、ＬＣＤ５０、投影光学系６０及び冷却ファン７０は、図２及び図３から分かるように、ハウジング本体Ａの右側部内及び取っ手Ｂの両右側腕部１２、２２内に収容されている。なお、ランプ３０、照明光学系４０、ＬＣＤ５０及び投影光学系６０は、本発明にいう投影光学系に対応する。
【００４１】
ここで、ランプ３０は、図２にて示すごとく、箱体１０ａの右側後部内に配設されており、このランプ３０は、その駆動に伴い、取っ手Ｂの右側腕部１２内の上壁１５に設けられる後述する反射ミラー４３に向けて光を出射する。
【００４２】
照明光学系４０は、ランプ３０の前側にて、箱体１０ａの右側内部から取っ手Ｂの右側腕部１２の内部にかけて、このランプ３０と共に同一光軸上に沿い配設されている。当該照明光学系４０は、図２にて示すごとく、コンデンサレンズ４１、凹レンズ４２ａ及び両凸レンズ４２ｂ、４２ｃを同一光軸上に沿い配列したリレーレンズ系４２及び反射ミラー４３を備えており、ランプ３０から出射される光はコンデンサレンズ４１によって集光され、リレーレンズ系４２によって平行光に変換され反射ミラー４３に入射される。
【００４３】
反射ミラー４３は、図２にて示すごとく、取っ手Ｂの右側腕部１２内にてＵ字体１０ｂの上壁１５に沿うように配設されており、この反射ミラー４３は、照明光学系４０の凸レンズ４２ｃ及びＵ字体２０ｂの投影口部２６の双方を直交方向に臨むように位置している。このため、当該反射ミラー４３は、リレーレンズ系４２からから入射される平行光を、Ｕ字体２０ｂの投影口部２６に向けるように、照明光学系４０等からの光軸に対し約９０°だけ光路を変更させて反射する。
【００４４】
ＬＣＤ５０は、反射ミラー４３とＵ字体２０ｂの投影口部２６との間に介装されており、このＬＣＤ５０は、当該投影装置に入力される映像信号等に基づき駆動され、反射ミラー４３に入射された平行光の反射光に基づき、映像を表す表示光を出射する。本実施形態では、ＬＣＤ５０は、その光軸にて、照明光学系４０の光軸に直交するように配列されている。なお、ＬＣＤ５０は、反射ミラー４３の手前、つまり、リレーレンズ系４２と反射ミラー４３の間に配置してもよいことはいうまでもない。
【００４５】
投影光学系６０（本発明にいう投影レンズ部に対応）は、図２にて示すごとく、凸レンズ６１、凹レンズ６２、６３及び投影レンズ６４（本発明にいう投影レンズ部の少なくとも一部に対応）を備えており、これら凸レンズ６１、凹レンズ６２、６３及び投影レンズ６４は、ＬＣＤ５０と、Ｕ字体２０ｂの投影口部２６との間にて、凸レンズ６１から投影レンズ６４にかけて、同一光軸上に沿い配設されている。
【００４６】
このことは、投影光学系６０の光軸が、照明光学系４０の光軸に対し直交することを意味する。本実施形態では、投影レンズ６４は、図２にて示すごとく、前側部位６４ａ（以下、投影部位６４ａともいう）にて、Ｕ字体２０ｂの投影口部２６を通して外方に対向している。
【００４７】
投影部位６４ａは、図２及び図３にて示すごとく、円弧状端面にて、Ｕ字体２０ｂの投影口部２６よりその内側に覆われている。ここで、投影口部２６の開口面、及びＵ字体２０ｂの右側腕部２２の突出端２２ａは、図２にて示すごとく、投影部位６４ａの出射光を遮らない位置に形成されている。
【００４８】
しかして、投影光学系６０は、ＬＣＤ５０から出射される光を凸レンズ６１にて受光して、このように受光した光を、両凹レンズ６２、６３を通し、投影レンズ６４によりその投影部位６４ａにてＵ字体２０ｂの投影口部２６から外方（投影方向Ｒ）へ出射させる。このことは、投影光学系６０は、ＬＣＤ５０により出射される表示光に基づき、Ｕ字体２０ｂの投影口部２６を通して、映像を投影することを意味する。
【００４９】
冷却ファン７０は、図２にて示すごとく、両箱体１０ａ、２０ａの各開口部内にて、ランプ３０に近接して配設されており、この冷却ファン７０は、ランプ３０を空冷する役割を果たす。
【００５０】
制御ユニット８０は、図３にて示すごとく、箱体２０ａの中間部位内に収容されており、この制御ユニット８０は、操作パネル（図示しない）の操作に基づき、ランプ３０及びＬＣＤ５０を駆動制御する。なお、図３にて符号８１は、制御ユニット８０の空冷用冷却ファンを示す。
【００５１】
なお、本第１実施形態においては、上述したハウジング本体Ａ、ランプ３０、照明光学系４０、ＬＣＤ５０、投影光学系６０、冷却ファン７０及び制御ユニット８０が、当該投影装置の装置本体を構成する。
【００５２】
以上のように構成した本第１実施形態において、投影光学系６０の投影レンズ６４は、上述したごとく、ハウジング本体Ａの前壁から外方側（投影方向Ｒ側）へ突出していても、当該投影レンズ６４は、取っ手Ｂの両右側腕部１２、２２内に収容されるとともに、連結部１３、２３により両右側腕部１２、２２を介し覆われている（図１及び図３参照）。ここで、投影レンズ６４は、その投影部位６４ａにて、Ｕ字体２０ｂの投影口部２６を通して外方（投影方向Ｒ）を臨んでいる（図２参照）。また、上述のごとく、Ｕ字体２０ｂの右側腕部２２の突出端２２ａは、投影部位６４ａの出射光を遮らないぎりぎりの位置にまで形成されている。
【００５３】
従って、当該投影装置による投影を良好に確保しつつ、投影レンズ６４つまり投影光学系６０を可能な限り保護できる。また、投影レンズ６４すなわち投影光学系６０の少なくとも一部を前壁１４（ハウジング本体Ａ）より前に突出させ、ハウジング本体Ａの左側部と上記突出させた投影レンズ６４間で取っ手を設けることでハウジング本体Ａ（装置本体）の前後方向（光軸方向）の長さを短くでき、全体として小型化できるが、上述した投影レンズ（投影光学系６０）の保護とともに強度的な補強も行える効果がある。
【００５４】
なお、本実施形態では、前壁１４より突出させたのは投影レンズ６４のみであるが、投影光学系６０の少なくとも一部であればどの様に突出させても構わない。また、このようなことは、後述する各実施形態２、３及び４においても同様である。
【００５５】
また、ＬＣＤ５０及び投影光学系６０は、上述のごとく、その光軸にて、リレーレンズ系４２及びランプ３０の光軸に対し９０°をなすように、ハウジングＨ内にて配列されている。これにより、ＬＣＤ５０及び投影光学系６０をリレーレンズ系４２及びランプ３０と共に直線状に配列する場合に比べて、ハウジングＨ、ひいては、当該投影装置がコンパクトに構成され得る。
【００５６】
また、取っ手ＢのＵ字体１０ｂは、上述したように、上壁１５にて、照明光学系４０の反射ミラー４３に沿うように傾斜している。これにより、取っ手Ｂにおいて、Ｕ字体１０ｂを上壁１５のように傾斜させない場合に比べて、把持しやすくなり、且つ、当該反射ミラー４３から上壁１５側の無駄なスペースを排除し得る。その結果、当該投影装置をより一層コンパクトに構成し得る。
【００５７】
また、取っ手Ｂの把持部Ｔは、ハウジング本体Ａの前側（図１及び図３参照）であって、取っ手Ｂの両右側腕部１２、２２の左側（図１及び図３参照）のスペースに設けられている。このことは、図３から分かるように、取っ手Ｂの把持部Ｔは、ハウジング本体Ａ及び取っ手Ｂの両右側腕部１２、２２でもって形成されるデッドスペース、即ち、取っ手Ｂの両右側腕部１２、２２の左側において装置本体Ａの前壁１４の前側に形成される立体的スペースに設けられることとなる。従って、当該投影装置における投影レンズ６４を突出させたことでできた無駄なスペースの有効利用が可能となる。
（第２実施形態）
図４は、本発明の第２実施形態の要部を示している。なお、図４は、上側ハウジング部材１０を取り外した場合の当該投影装置を、上側から、把持部Ｔが紙面左側となるように、見た平面図である。この第２実施形態では、上記第１実施形態にて述べたＵ字体２０ｂの右側腕部２２は、その左側腕部２１側の内面２７にて、上記第１実施形態にて述べた右側腕部２２の内面（図３参照）よりも、投影レンズ６４から左側（図４参照）へ遠ざかる方向に位置するように形成されている。これに合わせて、Ｕ字体１０ｂの右側腕部１２も、その左側腕部１１側の内面にて、Ｕ字体２０ｂの右側腕部２２の内面２７と同様に形成されている。なお、図４において、ハウジング部材２０のＵ字体２０ｂとは反対側の面が、当該投影装置の投影時における設置面に相当する。
【００５８】
従って、取っ手Ｂによりハウジング本体Ａの前壁側に形成される中空部（本発明にいう中空状手挿入部に対応）は、両左側腕部１１、２１側に向けて狭くなっている。このことは、本第２実施形態において、把持部Ｔが、上記第１実施形態と比べて投影レンズ６４からさらに遠く離れて位置することを意味する。その他の構成は、上記第１実施形態と同様である。
【００５９】
このように構成した本第２実施形態においては、上述のごとく、把持部Ｔが、上記第１実施形態と比べて投影レンズ６４からさらに遠く離れて位置している。従って、使用者が把持部Ｔを把持しても、使用者の手が誤って投影レンズ６４に触れることが少なくなる。その他の作用効果は上記第１実施形態と同様である。
（第３実施形態）
図５及び図６は、本発明に係る投影装置の第３実施形態の要部を示している。この第３実施形態において、当該投影装置は、図５にて示すごとく、ハウジングＨａ及び取っ手Ｂａを備えている。なお、図５及び図６では、当該投影装置が、その投影時に、机上面Ｄ（図６参照）に置かれる状態を示す。従って、ハウジング本体Ａａの机上面Ｄ（図６参照）側が、投影時における当該投影装置の設置側に相当する。
【００６０】
ハウジングＨａは、図６にて示すごとく、ハウジング本体Ａａを備えており、このハウジング本体Ａａは、４本の脚Ｌ（図６では２本のみ示す）にて、机上面Ｄ上に載置されるようになっている。
【００６１】
取っ手Ｂａは、図５にて示すごとく、左右両側腕部９１及び連結部９２（以下、把持部９２ともいう）でもってＵ字状に形成されている。取っ手Ｂａは、連結部９２にて、ハウジング本体Ａａの前壁に対向するように、両側腕部９１にて、ハウジング本体Ａａの左右両側壁の前側部位に、各ロッド９１ａを介し、回動可能に支持されている。
【００６２】
本実施形態では、当該取っ手Ｂａの両側腕部９１は、各ロッド９１ａを基準に、上下方向に所定の回動角範囲内にて回動し得るように、ハウジング本体Ａａの左右両側壁の前側部位に支持されている。ここで、上記所定の回動角範囲は、連結部９２が、図６にて示す投影レンズ６４（後述する投影光学系６０（投影レンズ部）の少なくとも一部）の下側部位の両上下方向端に対応する角度範囲に相当する。
【００６３】
従って、取っ手Ｂａが、その連結部９２にて、投影レンズ６４の下側部位の上方向端側の回動位置にあるとき、当該取っ手Ｂａは、当該投影装置の持ち運びのための部材並びに投影レンズ６４の保護としての役割を果たす。また、取っ手Ｂａが、その連結部９２にて、投影レンズ６４の下側部位の下方向端側の回動位置にあるとき、当該取っ手Ｂａは、当該投影装置による投影の確保と投影レンズ６４の保護の双方のための部材としての役割を果たす。
【００６４】
また、当該投影装置は、上記第１実施形態にて述べたランプ３０、照明光学系４０、ＬＣＤ５０、投影光学系６０及び制御ユニット８０を備えており、ランプ３０、照明光学系４０、ＬＣＤ５０及び投影光学系６０は、図６にて示すごとく、ハウジング本体Ａａの右側部内にて同一光軸上に沿いに配設されている。
【００６５】
ランプ３０は、ハウジング本体Ａａの右側部内にてその後部に配設されている。照明光学系４０は、ハウジング本体Ａａの右側部内において、ランプ３０とハウジングＨａの筒部Ｃとの間に配設されている。ここで、筒部Ｃは、図５及び図６にて示すごとく、ハウジング本体Ａａの前壁右側部から前方に突出形成されて、取っ手Ｂａの連結部９２に対向している。なお、本実施形態では、ランプ３０から投影レンズ部を経て投影面に向け直線的に映像を投影するため、上記第１実施形態にて述べた反射ミラー４３等は採用されていない。
【００６６】
ＬＣＤ５０は、照明光学系４０と筒部Ｃとの間に配設されている。また、投影光学系６０は、ＬＣＤ５０の前側から筒部Ｃ内にかけて配設されている。例えば、投影光学系６０は、凸レンズ６１から投影レンズ６４にかけて、ＬＣＤ５０の前側から筒部Ｃ内に配設されている。
【００６７】
なお、本第３実施形態においては、上述したハウジングＨａ、ランプ３０、照明光学系４０、ＬＣＤ５０、投影光学系６０及び制御ユニット８０が、当該投影装置の装置本体を構成する。その他の構成は上記第１実施形態と同様である。
【００６８】
以上のように構成した本第３実施形態において、投影光学系６０の投影レンズ６４が、ハウジング本体Ａａの前壁から突出する筒部Ｃ内に収容されていても、当該筒部Ｃは、取っ手Ｂａの把持部９２に対向している。また、投影レンズ６４は、把持部９２を介し外方（投影方向）を臨んでいる。
【００６９】
従って、取っ手Ｂａが、その把持部９２を、上述のごとく、投影レンズ６４の下側部位の上方向端側に位置させれば、当該投影装置は、投影レンズ６４の上側部位にて投影できるので、映像を投影中であっても、取っ手Ｂａは、その把持部９２にて、投影レンズ６４の下側部位を保護し得る。また、取っ手Ｂａの把持部９２を投影レンズ部とは対応しない側に広く確保できれば、取っ手Ｂａぎりぎりまで投影レンズ部を突出させることも可能なので、装置本体の光軸方向（前後方向）の長さを短くでき結果として本体装置を小型化できる。
（第４実施形態）
図７は、本発明に係る投影装置の第４実施形態を示している。この第４実施形態では、上記第３実施形態にて述べた取っ手Ｂａに代えて、取っ手Ｂｂが採用されている。この取っ手Ｂｂは、左右両側腕部９３及び連結部９４（以下、把持部９４ともいう）でもって、図７にて示すごとく、上記第３実施形態にて述べたハウジング本体Ａａの前壁両端部からＵ字状に突出形成されている。なお、図７では、当該投影装置が、その投影時に、上記机上面に置かれる状態を示す。
【００７０】
但し、本実施形態では、取っ手Ｂｂは、上記第３実施形態にて述べた取っ手Ｂａとは異なり、その把持部９４にて、筒部Ｃの下側半分部位に対向するようにしてハウジング本体Ａａの前壁９４ａの両端部に固定的に支持されている。その他の構成は、上記第３実施形態と同様である。
【００７１】
このように構成した本第４実施形態においては、投影レンズ６４が、筒部Ｃとともにハウジング本体Ａａの前壁９４ａから突出しても、取っ手Ｂｂが、その把持部９４にて、上述のごとく、筒部Ｃ及び投影レンズ６４の各下側部位に対向しているから、当該投影装置は、投影レンズ６４の上側部位にて投影するのに併せて、取っ手Ｂｂは、その把持部９４にて、投影レンズ６４の下側部位を保護し得る。その他の作用効果は、上記第３実施形態みにて述べた取っ手Ｂａの回動に起因する作用効果を除き、上記第３実施形態と同様である。
（第５実施形態）
図８は、本発明に係る投影装置の第５実施形態を示している。この第５実施形態では、上記第４実施形態とは異なり、投影レンズ６４は、ハウジング本体Ａａの前壁９４ａより突出させておらず、上記第４実施形態にて述べたハウジング本体Ａａの前壁９４ａの右側部に形成した開口部Ｃａ内に収容されている。なお、図８では、当該投影装置が、その投影時に、上記机上面に置かれる状態を示す。
【００７２】
また、本第５実施形態では、取っ手Ｂｃが、左右両側腕部９５及び連結部９６（以下、把持部９６ともいう）でもって、上記第４実施形態にて述べた取っ手Ｂｂに代えて、ハウジング本体Ａａの前壁９４ａの下部から前方へＵ字状に突出形成されている。その他の構成は上記第４実施形態と同様である。
【００７３】
このように構成した本第５実施形態では、投影レンズ６４がハウジング本体Ａａの開口部Ｃａに収容されて外方を臨んでいても、取っ手Ｂｃが、その把持部９６にて、上述のごとく、投影レンズ６４の下側部位に対向しているから、当該投影装置は、投影レンズ６４の上側部位にて投影するのに併せて、取っ手Ｂｃは、その把持部９６にて、投影レンズ６４の下側部位を保護し得る。その他の作用効果は、上記第４実施形態と同様である。
【００７４】
なお、本実施形態、特に、上記実施形態３〜５では、この種のプロジェクタ（特に広角（近接）的に投影できるプロジェクタ）が、投影レンズの全面を利用して画像を投影していない、つまり、投影レンズの一部を利用して投影していることを利用し、投影レンズの利用していない部分を保護している。従って、保護できる部分は投影光学系６０の設計仕様に依存する。
【００７５】
なお、本発明の実施にあたり、ＬＣＤ５０は、投影光学系６０に含めて把握してもよい。
【図面の簡単な説明】
【００７６】
【図１】本発明に係る投影装置の第１実施形態を示す斜視図である。
【図２】図１にてその１００−１００線に沿い当該投影装置の右側へ見た断面図である。
【図３】図１にて、上側ハウジング部材を取り外した場合の投影装置を、把持部Ｔが紙面左側となるように、上側から見た平面図である。
【図４】本発明の第２実施形態の上側ハウジング部材を取り外した場合の投影装置を、把持部Ｔが紙面左側となるように、上側から見た平面図である。
【図５】本発明に係る投影装置の第３実施形態を示す斜視図である。
【図６】図５にてその２００−２００線に沿い当該投影装置の右側へ見た断面図である。
【図７】本発明の第４実施形態を示す斜視図である。
【図８】本発明の第５実施形態を示す斜視図である。
【符号の説明】
【００７７】
Ａ、Ａａ…ハウジング本体、Ｂ、Ｂａ、Ｂｂ、Ｂｃ…取っ手、Ｈ、Ｈａ…ハウジング、
Ｔ、９２、９４、９６…把持部、１１、２１…左側腕部、１２、２２…右側腕部、
１３、２３…連結部、１４…前壁、１５…上壁、２２ａ…突出端、２６…投影口部、
２７…内面、３０…ランプ、４０…照明光学系、４３…反射ミラー、
６０…投影光学系、６４…投影レンズ、６４ａ…投影部位。
【図１】
2007072338.tif 000003
【図２】
2007072338.tif 000004
【図３】
2007072338.tif 000005
【図４】
2007072338.tif 000006
【図５】
2007072338.tif 000007
【図６】
2007072338.tif 000008
【図７】
2007072338.tif 000009
【図８】
2007072338.tif 000010